【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
システムであって、
入力直流（ＤＣ）電圧を出力ＤＣ電圧に変換するためのインダクタ／インダクタ／キャパシタ（ＬＬＣ）コンバータと、
前記ＬＬＣコンバータの出力負荷電流が所定の閾値を下回るときに前記ＬＬＣコンバータを動作させるためにバースト時間とスリープ時間とを有するスイッチング信号を生成するためのバースト生成器と、
前記バースト時間の間の前記ＬＬＣコンバータの出力電力が、前記出力負荷電流の変化に拘らず実質的に一定に保たれるように、前記スイッチング信号に対する前記スリープ時間を調節するためのバースト電力計算機と、
を含む、システム。
【請求項２】
請求項１に記載のシステムであって、
前記バースト時間の間の前記ＬＬＣコンバータの出力電力が、前記出力負荷電流の変化に拘らず実質的に一定に保たれるように、前記スイッチング信号に対する前記スリープ時間を調節するために前記バースト電力計算機により用いられる前記出力負荷電流をサンプリングするための電流フィードバック回路を更に含む、システム。
【請求項３】
請求項２に記載のシステムであって、
前記出力負荷電流が前記所定の閾値より下に下がったときを検出するための検出器を更に含む、システム。
【請求項４】
請求項３に記載のシステムであって、
前記出力負荷電流が前記所定の閾値より下に下がったことを前記検出器が検出するときに前記バースト生成器の出力がイネーブルされる、システム。
【請求項５】
請求項１に記載のシステムであって、
前記スリープ時間に対する前記バースト時間のデューティーサイクルが、前記ＬＬＣコンバータの効率を最大閾値レベルに調節する一方で、前記ＬＬＣコンバータにより生成される最小可聴閾値を超える音響ノイズを緩和するように、前記スイッチング信号の前記バースト時間が一定に保たれるときに前記バースト電力計算機が前記スイッチング信号に対する前記スリープ時間を調節する、システム。
【請求項６】
請求項５に記載のシステムであって、
前記スリープ時間が、式：ＴＳＬＰ＝｛（ＰＢＳＴ／（ＩＯＵＴ・ＶＯＵＴ））−１｝・ＴＢＳＴに従って前記バースト電力計算機により調節され、
この式において、ＴＳＬＰが前記スリープ時間を表し、ＰＢＳＴが前記バースト時間の間に搬送されるコンバータ電力を表し、ＩＯＵＴが前記出力負荷電流を表し、ＶＯＵＴが前記出力ＤＣ電圧を表し、ＴＢＳＴが前記バースト時間を表し、ＴＢＳＴがＴＳＬＰを演算するために一定に保たれる、システム。
【請求項７】
請求項１に記載のシステムであって、
前記出力ＤＣ電圧をサンプリングしてそれを前記ＬＬＣコンバータのスイッチングを制御する変調器にフィードバックすることによって前記出力ＤＣ電圧をレギュレートするための電圧フィードバック回路を更に含む、システム。
【請求項８】
請求項１に記載のシステムであって、
前記電流フィードバック回路が、ステップアップコンバータ、ステップダウンコンバータ、又は隔離コンバータとして構成される、システム。
【請求項９】
回路であって、
入力直流（ＤＣ）電圧を出力ＤＣ電圧に変換するためのインダクタ／インダクタ／キャパシタ（ＬＬＣ）コンバータと、
前記ＬＬＣコンバータの出力負荷電流が所定の閾値を下回るときに前記ＬＬＣコンバータを動作させるためにバースト時間とスリープ時間とを有するスイッチング信号を生成するためのバースト生成器と、
前記スリープ時間に対する前記バースト時間のデューティーサイクルが、前記ＬＬＣコンバータの効率を最大閾値レベルに調節する一方で、前記ＬＬＣコンバータにより生成される最小可聴閾値を超える音響ノイズが緩和されるように、前記スイッチング信号の前記バースト時間が一定に保たれるときに前記スイッチング信号に対する前記スリープ時間を調節するためのバースト電力計算機と、
を含む、回路。
【請求項１０】
請求項９に記載の回路であって、
前記バースト時間の間の前記ＬＬＣコンバータの出力電力が、前記出力負荷電流の変化に拘らず実質的に一定に保たれるように、前記スイッチング信号に対する前記スリープ時間を調節するために前記バースト電力計算機により用いられる前記出力負荷電流をサンプリングするための電流フィードバック回路を更に含む、回路。
【請求項１１】
請求項１０に記載の回路であって、
前記出力負荷電流が前記所定の閾値より下に下がったときを検出するための検出器を更に含む、回路。
【請求項１２】
請求項１１に記載の回路であって、
前記検出器が、前記出力負荷電流のサンプルを所定の軽負荷閾値と比較するコンパレータである、回路。
【請求項１３】
請求項１１に記載の回路であって、
前記出力負荷電流が前記所定の閾値より下に下がったことを前記検出器が検出するときに前記バースト生成器の出力がイネーブルされる、回路。
【請求項１４】
請求項９に記載の回路であって、
前記バースト時間の間の前記ＬＬＣコンバータの出力電力が、前記出力負荷電流の変化に拘らず実質的に一定に保たれるように、前記バースト電力計算機が前記スイッチング信号に対する前記スリープ時間を調節する、回路。
【請求項１５】
請求項１４に記載の回路であって、
前記スリープ時間が、式：ＴＳＬＰ＝｛（ＰＢＳＴ／（ＩＯＵＴ・ＶＯＵＴ））−１｝・ＴＢＳＴに従って前記バースト電力計算機により調節され、
この式において、ＴＳＬＰが前記スリープ時間を表し、ＰＢＳＴが前記バースト時間の間に搬送されるコンバータ電力を表し、ＩＯＵＴが前記出力負荷電流を表し、ＶＯＵＴが前記出力ＤＣ電圧を表し、ＴＢＳＴが前記バースト時間を表し、ＴＢＳＴがＴＳＬＰを演算するために一定に保たれる、回路。
【請求項１６】
請求項９に記載の回路であって、
前記出力ＤＣ電圧をサンプリングしてそれを前記ＬＬＣコンバータのスイッチングを制御する変調器にフィードバックすることによって前記出力ＤＣ電圧をレギュレートするための電圧フィードバック回路を更に含む、回路。
【請求項１７】
請求項１６に記載の回路であって、
前記電圧フィードバック回路が、前記出力ＤＣ電圧をレギュレートするために、基準値に対して前記出力ＤＣ電圧をサンプリングするためのアナログ・デジタルコンバータ（ＡＤＣ）を含む、回路。
【請求項１８】
方法であって、
コントローラにより、インダクタ／インダクタ／キャパシタ（ＬＬＣ）コンバータにより生成される出力負荷電流が所定の閾値より下に下がったときを判定することと、
前記ＬＬＣコンバータの前記出力負荷電流が前記所定の閾値を下回るときに前記ＬＬＣコンバータを動作させるためにバースト時間とスリープ時間とを有するスイッチング信号を生成することと、
前記バースト時間の間の前記ＬＬＣコンバータの出力電力が、前記出力負荷電流の変化に拘らず実質的に一定に保たれるように、前記バースト時間が一定に保たれるときに前記スイッチング信号に対する前記スリープ時間を調節することと、
を含む、方法。
【請求項１９】
請求項１８に記載の方法であって、
前記スリープ時間に対する前記バースト時間のデューティーサイクルが、前記ＬＬＣコンバータの効率を最大閾値レベルに調節する一方で、前記ＬＬＣコンバータにより生成される最小可聴閾値を超える音響ノイズが緩和されるように、前記スイッチング信号の前記バースト時間が一定に保たれるときに前記スイッチング信号に対する前記スリープ時間を調節することを更に含む、方法。
【請求項２０】
請求項１８に記載の方法であって、
式：ＴＳＬＰ＝｛（ＰＢＳＴ／（ＩＯＵＴ・ＶＯＵＴ））−１｝・ＴＢＳＴに従って前記スリープ時間を計算することを更に含み、
この式において、ＴＳＬＰが前記スリープ時間を表し、ＰＢＳＴが前記バースト時間の間に搬送されるコンバータ電力を表し、ＩＯＵＴが前記出力負荷電流を表し、ＶＯＵＴが前記出力ＤＣ電圧を表し、ＴＢＳＴが前記バースト時間を表し、ＴＢＳＴがＴＳＬＰを演算するために一定に保たれる、方法。